(57)【特許請求の範囲】
【請求項１】
断面が略矩形状に形成された小径木を、所定間隔離間して対向配置するとともに、これら対向配置された２本の小径木間にスペーサを介装し一体化することにより二丁合わせ梁を構成し、
この二丁合わせ梁を２組用意し、一方の二丁合わせ梁に対し他方の二丁合わせ梁を直角に交差する態様で配置し、
これら二丁合わせ梁の交差部における前記二丁合わせ梁の連通する隙間の間に、
角筒状の本体と、角筒状の本体の中間部にフランジを備えた連結具を差し渡し、
この状態で、前記二丁合わせ梁の外方から前記角筒状の本体に向かってドリフトピンを挿通し、これにより、２組の前記二丁合わせ梁同士を回転不能に一体化させたことを特徴とする二丁合わせ梁の連結構造。
【発明の詳細な説明】
【技術分野】
【０００１】
本発明は、二丁合わせ梁の連結構造に関する。
【背景技術】
【０００２】
近年、日本国内では、地場産業としての林業が衰退している。これは、国内に資源が少ないという理由ではなく、外国産の木材を使用した場合に比べて、森林の管理、木材の切り出しに手間と費用がかかることが主な理由である。
【０００３】
また、木材の製材期間は、人工乾燥でおおむね２ヶ月〜５ヶ月程度、天然乾燥では乾燥期間だけで半年以上を要する。このため、必要な寸法の木材を、その都度製材してすぐに使用するというわけにはいかない。そこで、国産材だけで充分に供給でき、比較的入手が容易で乾燥に長期間を必要としない小径木を用いて同じ寸法の規格材を設定し、同じ材を繰り返し使用する設計とすれば、木材の早期発注ができ、必要な木材を安定して確保することが可能となる。しかも、規格材であれば、取り壊しても再度、他の場所で使用することができるという利点もある。
【０００４】
ところで、自然災害などが生じた場合に、これまでは短期間の使用を目的とした仮設住宅が一般に構築されてきた。しかしながら、今日では仮住まいが長期化することに伴って、被災者の住まいをよりよくする建築プランの提供が望まれている。
【０００５】
そこで、主構造に小径木だけを使用して建築物を提供できる架構が、本願出願人により提案されている。
この架構によれば、主構造として、小径木の３種類の材を組み上げることで木造住宅を提供することができる。
【０００６】
すなわち、桁・柱には、９０×９０ｍｍ以下の材、耐力壁を作る格子としては、７５×４５ｍｍの切り込み材、梁として９０×４５ｍｍの小径木を２丁合わせで使用する、の３種類である。
【０００７】
このように主に３種類の材を用いることにより、例えば、四間四方というスペースに、小径木だけによる架構を構築することができる。
【発明の概要】
【発明が解決しようとする課題】
【０００８】
本発明は、このような実情に鑑み、小径木だけによる木造建築物を構築する場合に、特には、９０×４５ｍｍの小径木を二丁合わせで梁を構成する二丁合わせ梁の連結構造を提供することを目的としている。
【課題を解決するための手段】
【００１２】
上記目的を達成するための本発明に係る二丁合わせ梁の連結構造は、断面が略矩形状に形成された小径木を、所定間隔離間して対向配置するとともに、これら対向配置された２本の小径木間にスペーサを介装し一体化することにより二丁合わせ梁を構成し、
この二丁合わせ梁を２組用意し、一方の二丁合わせ梁に対し他方の二丁合わせ梁を直角に交差する態様で配置し、
これら二丁合わせ梁の交差部における前記二丁合わせ梁の連通する隙間の間に、角筒状の本体と、角筒状の本体の中間部にフランジを備えた連結具を差し渡し、この状態で、前記二丁合わせ梁の外方から前記角筒状の本体に向かってドリフトピンを挿通し、これにより、２組の前記二丁合わせ梁同士を回転不能に一体化させたことを特徴としている。
【００１３】
このような二丁合わせ梁の連結構造によれば、連結される二丁合わせ梁同士がねじれてしまうこともなく、また、角筒状部材を差し渡す場合に、この角筒状部材が落下してしまうこともない。
【発明の効果】
【００１５】
本発明に係る二丁合わせ梁の連結構造によれば、互いに連結された二丁合わせ梁同士がねじれてしまうことを防止できる。
さらに、二丁合わせ梁同士を連結するに際し、この連結具が作業中に落下してしまうことを防止できる。
【図面の簡単な説明】
【００１６】
【図１】図１は本発明の一実施例に係る小径木の連結具を示した斜視図である。
【図２】図２は２枚の小径木を所定間隔置きのパッキンを介して重ね合わせて二丁合わせ梁としたときの部分斜視図である。
【図３】図３は、図２に示した二丁あわせ梁を２つ用意し、これらを本発明の一実施例に係る連結具で連結するときの斜視図である。
【図４】図４は、図３に示した二丁合わせ梁間を組み合わせたときに構成される連結体の部分斜視図である。
【図５】図５（Ａ）は、図４に示した二丁合わせ梁を使用した建築物の架構ダイアグラムスケッチで、図５（Ｂ）は耐力壁の配置を示す概略斜視図である。
【図６】図６は小径木だけによる架構モデルの斜視図である。
【図７】図７は、図６に示した架構モデルのさらに屋根部の構成を示す斜視図である。
【発明を実施するための形態】
【００１７】
以下、図面を参照しながら、本発明の一実施例に係る二丁合わせ梁の連結構造について説明する。
図１は本発明の一実施例に採用された連結具を示したものである。
【００１８】
この連結具２は、後述するように、特には９０×４５ｍｍの小径木で構成した二丁合わせ梁間の連結に使用されるものである。
連結具２は、角筒状の本体４と、角筒状の本体４の途中に介在された角形状のフランジ６とから構成され、これらは金属により形成されるとともに、溶接などで一体化されている。
【００１９】
連結具２を構成する角筒状の本体４には、中央部のフランジ６を挟んで一方側および他方側の側面に、それぞれピン挿入孔１０ａ，１０ｂが交差する態様で形成され、これらピン挿入孔１０ａ、１０ｂは、一対の側面間に貫通して形成されている。このようなピン挿入孔１０ａ、１０ｂには、後述するように、公知のドリフトピン１２が挿入される。
【００２０】
角筒状の本体４は、全長Ｌが１８０ｍｍ、縦横の一辺の長さＡが３０ｍｍ、厚さｔが３．２ｍｍに形成されている。一方、フランジ６は、一辺の長さＢが５０ｍｍ、厚さｔが１ｍｍに形成されている。
【００２１】
このような連結具２は、本体４が中空状に形成されていることから軽量であるとともに大量生産する場合に安価に生産することができる。
なお、フランジ６は角形状に限定されず、他の形状、例えば、円形、三角形などであっても良い。また、厚みも限定されるものではない。
【００２２】
一方、図２に示したように、本実施例で二丁合わせ梁を構成するのに採用された小径木１４は、例えば、９０×４５ｍｍ角の大きさで、長さＭが３０００ｍｍである。そして、垂直方向に断面の長い９０ｍｍが位置する態様で用いられる。
【００２３】
本実施例では、このような寸法の２本の小径木１４、１４を組として用意し、これら小径木１４，１４同士を互いに対面させ、その間に厚さＤが３０ｍｍの木材などからなるパッキン１８を介装し、このパッキン１８を挿入した位置に、側方からくぎなどを打ち込むことにより、二丁合わせ梁２０として一体化されている。なお、本実施例におけるパッキン１８の配設ピッチＣは４５０ｍｍであるが、このピッチＣも限定されるものではない。
【００２４】
このようにして、本実施例では、９０×４５ｍｍ角の小径木１４、１４を２枚組み合わせることにより、二丁合わせ梁２０が構成されている。
本実施例では、このような二丁合わせ梁２０が多数用意され、木造構造物の梁の構成要素として使用される。
【００２５】
本出願人等が提案している小径木だけを使用した架構を構成する場合には、図２に示した二丁合わせ梁２０を単独で用いるよりも、２つの二丁合わせ梁２０を連結して用いた方が使い勝手が良い。
【００２６】
図３は、このような二丁合わせ梁２０Ａ，２０Ｂを連結した場合の連結構造を示したものである。
この連結構造により組み合わされた二丁合わせ梁２０Ａと二丁合わせ梁２０Ｂとの連結体３０は、二丁合わせ梁同士を９０°交差する態様で配置し、上下の二丁合わせ梁間が上述した連結具２で連結される。
【００２７】
すなわち、先ず、下側に位置する二丁合わせ梁２０Ａを構成する小径木１４と小径木１４との間に画成される隙間に、連結具２の角筒状の本体４の下半部を挿入する。このように一旦、連結具２の下半部を二丁合わせ梁２０Ａの隙間に差し込めば、連結具２のフランジ６が小径木１４，１４間に跨った状態で配置されるので、連結具２が小径木１４、１４間の隙間から、落下してしまうことはない。
【００２８】
連結具２の下半部が二丁合わせ梁２０Ａ内に差し込まれたら、予め用意されたドリフトピン１２を、小径木１４の側面に設けられた下孔からピン挿入孔１０ｂに向かって挿通することで連結具２を固定する。
【００２９】
このようにして連結具２の二丁合わせ梁２０Ａに対する固定が完了したら、上方から他方の二丁合わせ梁２０Ｂを連結具２に向かって挿入し、同様にドリフトピン１２で連結部２の角筒状の本体４を固定すれば良い。
【００３０】
このようにして、２つの二丁合わせ梁２０Ａ，２０Ｂ間が連結具２で一体的に連結されることにより、図４に示したように、二丁合わせ梁２０Ａ，２０Ｂが交差する態様で連結された連結体３０が構成される。
【００３１】
なお、二丁合わせ梁２０Ａ，２０Ｂに対する連結具２の配置位置は特に限定されない。一方の二丁合わせ梁２０Ａの端部に他方の二丁合わせ梁２０Ｂの中央部を合致させて連結しても良く、互いの中央部で連結しても良い。
【００３２】
連結具２を介して一体的に連結された連結体３０は、互いの隙間に角筒状の本体４が緊密に挿入され、その姿勢で側方からドリフトピン１２、１２が挿通され、固定されているので、互いの間にねじれが生じることはない。
【００３３】
本実施例では、このような連結体３０を基本単位として、木造構造物の梁を構築していくことができる。
また、二丁合わせ梁を繰り返し使用する設計とすることで、資源のリソースとして再利用が可能である。
【００３４】
以下、参考までに本出願人が提案した小径木による架構の一例を図５（Ａ）、（Ｂ）、図６、図７に示す。
この架構は、解体と循環使用を考慮したもので、主構造は三種類の小径木から組み上げられるものである。
【００３５】
すなわち、４間四方の中央部に１間角のコアを置き周囲を小径木で覆う事例である。そして、コアの２方向に耐力壁３０Ａ，３０Ｂを配置し、外周部には、４．５尺の耐力壁３０Ｃ，３０Ｄ，３０Ｅ，３０Ｆを配置する。これにより、平面形のバランスの良さからそれ以外は非耐力扱いの軸組が成立する。
【００３６】
耐力壁３０Ａ〜３０Ｆの枠体には９０×９０ｍｍ、その間の格子には、７５×４５ｍｍ、耐力壁の側方に位置する斜め柱３４には９０×９０ｍｍの小径木を用いる。
そして、天井部に、９０×９０ｍｍ以下の小径木により桁３２を周囲に差し渡す。さらに、図５（Ｂ）に示したように、互いに対向する一対の桁３２、３２間などに、９０×９０ｍｍ以下の小径木からなる梁３６，３６を交差する態様で差し渡す。そして、梁３６の下方に、図４に示したような連結体３０を用いた梁が構築される。さらに、連結体３０による梁の下方に、図６に示したように、柱３８を設けることにより、この柱３８と耐力壁３０Ａ，３０Ｂなどで屋根部からの垂直荷重を支えている。
【００３７】
なお、連結体３０を使用した二丁合わせ梁による梁材の上方には、図７に示したように、９０×４５ｍｍの小径木を４５５ｍｍピッチで一体的に組み込まれた垂木の枠体４０や、１２×９０ｍｍの小割板を斜めに張り合わせてなる枠体５０がこの順番で配置される。
【００３８】
上記のような二丁合わせ梁を構成することにより、垂直方向の荷重を小径木だけで支えることが可能にされ、小径木だけによる架構が完成する。
本実施例による連結具およびこの連結具を使用した二丁合わせ梁の連結構造は、恒久的な住宅を提供する場合にも用いることができる。
【００３９】
また、連結具２により連結された連結体３０を多数形成しておけば、木材の早期発注を行うことが容易であるとともに、解体も容易で、分別性に優れ、他の場所で再使用することもできる。さらに、緊急に建設を必要とする自然災害時の仮設住宅などで、様々な建築プランに適用することができる。
【００４０】
以上、本発明に係る二丁合わせ梁の連結構造について説明したが、本発明は、上記実施例に何ら限定されない。
例えば、この連結具は、梁以外にも適用することができる。
【００４１】
また、上記実施例では、二丁あわせ梁の側面に予めドリフトピン１２を挿入するための下孔を設けているが、この下孔は現場で穿設しても良い。さらに、二丁合わせ梁に介装されるパッキン１８は、合成木材などから形成しても良い。
【符号の説明】
【００４２】
２                                              連結具
４                                              角筒状の本体
６                                              フランジ
１０ａ,１０ｂ                                    ピン挿入孔
１２                                            ドリフトピン
１４                                            小径木
１８                                            パッキン
２０、２０Ａ，２０Ｂ                            二丁合わせ梁
３０                                            連結体
３０Ａ，３０Ｂ，３０Ｃ，３０Ｄ，３０Ｅ，３０Ｆ  耐力壁
３２                                            桁
３４                                            柱
３６                                            梁
４０                                            枠体
５０                                            枠体
【図１】
0005769525.tif 000002
【図２】
0005769525.tif 000003
【図３】
0005769525.tif 000004
【図４】
0005769525.tif 000005
【図５】
0005769525.tif 000006
【図６】
0005769525.tif 000007
【図７】
0005769525.tif 000008